【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
ａ）重合されたままでアミノ反応性官能基を含有するポリマーと、
ｂ）キトサンが前記官能基と反応しているキトサン・コーティングと
を含むポリマー材料であって、前記ポリマー材料の表面が微生物増殖を減らすのに十分なキトサン濃度を有するポリマー材料。
【請求項２】
前記アミノ反応性官能基が金属イオン、アンモニウムイオン、酸無水物、カルボン酸、スルホン酸、イソシアネート、エポキシド、酸塩化物、エノン、およびそれらの組み合わせよりなる群から選択され、かつ、
前記ポリマーが、
（１）ホモポリマー、
（２）ランダムコポリマー、
（３）ブロックコポリマー、
（４）エチレンとアクリル酸またはメタクリル酸とのコポリマー、
（５）（ａ）メタクリル酸、アクリル酸、メタクリル酸グリシジル、アクリル酸２−ヒドロキシエチル、メタクリル酸２−ヒドロキシエチル、マレイン酸ジエチル、マレイン酸モノエチル、マレイン酸ジ−ｎ−ブチル、無水マレイン酸、マレイン酸、フマル酸、イタコン酸、イタコン酸無水物、ドデセニルコハク酸無水物、５−ノルボルネン−２，３−酸無水物、およびナド酸無水物（３，６−エンドメチレン−１，２，３，６−テトラヒドロフタル酸無水物）よりなる群から選択されるグラフトモノマーと、
（ｂ）主鎖ポリマーが
（ｉ）ポリプロピレン、
（ｉｉ）高密度ポリエチレン、低密度ポリエチレン、線状低密度ポリエチレン、メタロセン触媒ポリエチレン、非常に低密度のポリエチレン、超高分子量ポリエチレン、および高性能ポリエチレンから選択されるポリエチレン、
（ｉｉｉ）エチレンとプロピレンとのコポリマー、
（ｉｖ）エチレンまたはプロピレンと、アクリル酸メチル、アクリル酸エチル、アクリル酸ｎ−ブチル、メタクリル酸メチル、アクリル酸、メタクリル酸、および一酸化炭素から選択される少なくとも１つのモノマーとから誘導されたコポリマー、
（ｖ）オレフィンとジオレフィンとのコポリマーであって、
前記オレフィンがエチレン、プロピレン、および他のオレフィンと一緒のエチレンから選択され、そして
前記ジオレフィンが少なくとも６個の炭素原子の線状脂肪族非共役ジエン、ノルボルナジエン、ジシクロペンタジエン、エチリデンノルボルネン、およびブタジエンから選択されるコポリマー、ならびに
（ｖｉ）エチレンとテトラフルオロエチレンとのコポリマー
よりなる群から選択される主鎖ポリマーと
を含むグラフトコポリマー、
（６）エチレン／アクリル酸コポリマーもしくはエチレン／メタクリル酸コポリマー、過フッ素化スルホネートもしくはカルボキシレートポリマー、スルホン化ポリスチレン、スルホン化エチレン−プロピレン・ターポリマー、スルホン化ポリエステル、およびスルホン化ポリアミドよりなる群から選択されるアイオノマー、
（７）ポリマーブレンド、
（８）金属イオン、アンモニウムイオン、酸無水物、カルボン酸もしくはカーボネート、スルホン酸もしくはスルホネート、イソシアネート、エポキシド、酸塩化物、およびエノンよりなる群から選択される少なくとも１つの官能基を含む少なくとも１つのモノマーまたはコモノマー
よりなる群から選択される、請求項１に記載のポリマー材料。
【請求項３】
水溶性亜鉛塩、水溶性銅塩、水溶性銀塩、およびそれらの混合物から選択される金属塩、カルボキシル含有ポリマー、ならびそれらの組み合わせから選択される１つもしくはそれ以上の化合物をさらに含む、請求項１または２に記載のポリマー材料。
【請求項４】
請求項１または請求項２に記載のポリマー材料を含む物品。
【請求項５】
パッケージング、パッケージ、容器、ボトル、ボックス、ジャー、缶、バッグ、閉端チューブ、パッケージング部品、食品用パッケージ、飲料用パッケージ、パッケージングライナー、蓋、交換式容器キャップ、使い捨て容器キャップ、パッケージングで使用されるフィルム、生鮮食品用パッケージング、生鮮食品パッケージング用吸収剤パッド、収縮バッグ、食品トレー、ファストフード・パッケージング、ソフトドリンクボトルネック、
食品取扱い装置、食品加工装置、食品分配システム、飲料分配システム、コンベアベルト・アセンブリ、コンベアベルト・アセンブリの部品、一時的および永久的食品調製表面；食品調製用装置、熱交換器、ドレイン、バケツ、タンク、パイプ、チュービング、
摂取品、カプセル、丸薬、液体、
歯列矯正装置、歯列矯正装置の部品、義歯材料、歯ブラシ、歯垢取り装置、
衣料、スポーツウェア、アクティブウェア、水着、下着、靴下、ソックス、ストッキング、パンティストッキング、タイツ、レッグウォーマー、子供服、衣料インサート、衣料ライナー、脇の下保護具；履物用の織または不織ライナーまたはインサート；運動競技ユニフォーム、運動競技防具、スポーツパッド、すね当て、熱または湿気移動を調節する下着、
家庭用品、枕用ファイバーフィル、寝具類、マットレス、マットレスカバー、ベッドカバー、毛布、ベッドシート、枕、枕ケース、
窓処理材、カーペット、フローリング部品、室内装飾品部品、フォームパッディング、自動車ワイプ、不織ドライヤーシーツ、洗濯用ソフトナー含有シーツ、家庭クリーニングワイプ、カウンターワイプ、タオル、洗面タオル、ダストクロス、モップ、テーブルクロス、冷蔵庫部品、冷蔵庫表面、シャワーカーテン、シャワーカーテンライナー、壁、カウンター表面、
へルスケア用品、包帯、接着テープ、ガーゼストリップ、ガーゼパッド、キャスト、医療ドレープ、外科ドレープ、医療衣類、病院ガウン、外科用マスク、外科用手袋、外科用履物、外科用ヘッドカバー、吸入器、医療装置、医療インプラント、注射器ホルダー、カテーテル、縫合糸、ＩＶ（点滴）チュービング、ＩＶバッグ、ステント、ガイドワイヤ、人工器官、整形外科ピン、歯科インプラント、ペースメーカー、ペースメーカー導線、除細動器導線、心臓弁、人工心臓、関節インプラント、骨セメント、代用血管、泌尿器カテーテル小孔ポート、整形外科固定具、外耳道短絡、美容インプラント、ＥＮＴ（耳鼻咽喉科）インプラント、外科用ステープル、移植可能ポンプ、ヘルニアパッチ、外科用プレート、外科用スクリュー、血液バッグ、外部血液ポンプ、流体投与システム、心肺機、透析装置、人工皮膚、心室支援装置、補聴器、
子供用品、哺乳瓶、噛みおもちゃ、哺乳瓶乳首、おしゃぶり、幼児向け絵本、プラスチックはさみ、おもちゃ、おむつペール、クレンジングワイプ用容器、個人クレンジングワイプ、おしりふき、
個人身づくろい用品、化粧品、化粧品パッケージ、化粧用ワイプ、口紅、リップクリーム、アイシャドウ、アイライナー、マスカラ、ボディパウダー、入浴剤、ほお紅、顔メーキャップ、シャンプー、コンディショナー、消臭剤、制汗剤、ボディローション、ボディクリーム、おしろい、ポンプ式計量分配装置、マスカラ棒、薬用ワイプ、化粧品ブラシ、点滴器、点滴器チップ、口紅アプリケーター、アイライナーアプリケーター、アイシャドウアプリケーター、液体、溶液、懸濁液、
個人衛生用品、おむつ、トレーニングパンツ、失禁パッド、失禁衣類、パンティーライナー、生理用ナプキン、タンポン、タンポンアプリケーター、
分離膜、限外濾過膜、精密濾過膜、流体用輸送容器、流体用貯蔵容器、
空気フィルター、水フィルター、
ボート部品、ボートハル、およびボートモーター
よりなる群から選択される、請求項４に記載の物品。
【請求項６】
ａ）その表面が請求項１または請求項２に記載のポリマー材料を含む物品を提供する工程と、
ｂ）物品を、キトサンを含む溶液と接触させる工程と、
ｃ）場合により、工程ｂ）の物品を、金属塩を含有する溶液と接触させる工程と、
ｄ）工程ｂ）またはｃ）で生み出された物品を乾燥する工程と
の逐次工程を含む、抗菌性または臭気抑制性である物品の製造方法。
【請求項７】
工程ｂ）のキトサンを含む前記溶液がまた０．５容量％〜５容量％の水性酢酸も含み、かつ、工程ｄ）の前記金属塩が水溶性亜鉛塩、水溶性銅塩、水溶性銀塩、およびそれらの混合物よりなる群から選択される、請求項６に記載の方法。
【手続補正２】
【補正対象書類名】明細書
【補正対象項目名】００６３
【補正方法】変更
【補正の内容】
【００６３】
実施例６
抗菌性スルホン化ポリエステル糸の製造および抗菌性評価
すべての二酸を基準にして約１．７５モル％のレベルでの５−スルホ−イソフタル酸のグリコレートのリチウム塩と共重合させたポリ（エチレンテレフタレート）から製造した糸を、水を含有するトレーと２％キトサン溶液（１．５％酢酸水溶液中のプリメックス・キトクリア（登録商標）ＴＭ５８８、分子量約７０，０００）を含有するトレーとを順次通過させた。過剰の溶液を取り除き、糸を２００℃に加熱したローラーで乾燥した。巻き取った糸を次に８０℃で２、３日間乾燥した。２つのサンプル（反復試験片）を採取し、抗菌活性評価にかけた。両方とも、図７に示すように、大腸菌ＡＴＣＣ２５９２２に対して抗菌活性を実証した。
次に、本発明の好ましい態様を示す。
1.  ａ）重合されたままでアミノ反応性官能基を含有するポリマーと、
ｂ）キトサンが前記官能基と反応しているキトサン・コーティングと
を含むポリマー材料であって、前記ポリマー材料の表面が少なくとも１０００面積ｐｐｍのキトサン濃度を有するポリマー材料。
2.  前記アミノ反応性官能基が金属イオン、アンモニウムイオン、酸無水物、カルボン酸、スルホン酸、イソシアネート、エポキシド、酸塩化物、エノン、又はそれらの組み合わせである、上記１に記載のポリマー材料。
3.  前記ポリマーがホモポリマー、ランダムコポリマー、ブロックコポリマー、グラフトコポリマー、またはポリマーブレンドであり、その少なくとも１つのモノマーまたはコモノマーが、金属イオン、アンモニウムイオン、酸無水物、カルボン酸またはカーボネート、スルホン酸またはスルホネート、イソシアネート、エポキシド、酸塩化物、およびエノンよりなる群から選択される少なくとも１つの官能基を含有する、上記１に記載のポリマー材料。
4.  前記ポリマーが熱的に安定な不飽和カルボン酸無水物または二無水物であるグラフトモノマーと、エチレンのホモポリマー、プロピレンのホモポリマー、エチレンおよび１つもしくはそれ以上のＣ3〜Ｃ8α−オレフィンから誘導されたコポリマー、またはプロピレンおよび１つもしくはそれ以上のＣ4〜Ｃ8α−オレフィンから誘導されたコポリマーである主鎖ポリマーとを含むグラフトコポリマーである、上記１に記載のポリマー材料。
5.  前記グラフトモノマーがメタクリル酸、アクリル酸、メタクリル酸グリシジル、アクリル酸２−ヒドロキシエチル、メタクリル酸２−ヒドロキシエチル、マレイン酸ジエチル、マレイン酸モノエチル、マレイン酸ジ−ｎ−ブチル、無水マレイン酸、マレイン酸、フマル酸、イタコン酸、イタコン酸無水物、ドデセニルコハク酸無水物、５−ノルボルネン−２，３−酸無水物、およびナド酸無水物（３，６−エンドメチレン−１，２，３，６−テトラヒドロフタル酸無水物）よりなる群から選択される、上記４に記載のポリマー材料。
6.  前記主鎖ポリマーが
ａ）ポリプロピレン、
ｂ）高密度ポリエチレン、低密度ポリエチレン、線状低密度ポリエチレン、メタロセン触媒ポリエチレン、非常に低密度のポリエチレン、超高分子量ポリエチレン、および高性能ポリエチレンから選択されるポリエチレン、
ｃ）エチレンとプロピレンとのコポリマー、
ｄ）エチレンまたはプロピレンと、アクリル酸メチル、アクリル酸エチル、アクリル酸ｎ−ブチル、メタクリル酸メチル、アクリル酸、メタクリル酸、および一酸化炭素から選択される少なくとも１つのモノマーとから誘導されたコポリマー、
ｅ）オレフィンがエチレン、プロピレン、および他のオレフィンと一緒のエチレンから選択されるオレフィンとジオレフィンとのコポリマー、ならびに
ｆ）エチレンとテトラフルオロエチレンとのコポリマー
よりなる群から選択される、上記４に記載のポリマー材料。
7.  前記ジオレフィンが少なくとも６個の炭素原子の線状脂肪族非共役ジエン、ノルボルナジエン、ジシクロペンタジエン、エチリデンノルボルネン、およびブタジエンから選択される、上記６に記載のポリマー材料。
8.  アイオノマーを含む、上記１に記載のポリマー材料。
9.  前記アイオノマーがエチレン／アクリル酸コポリマーのもしくはエチレン／メタクリル酸コポリマーのアイオノマー、過フッ素化スルホネートもしくはカルボキシレートポリマー、スルホン化ポリスチレン、スルホン化エチレン−プロピレン・ターポリマー、スルホン化ポリエステル、またはスルホン化ポリアミドである、上記８に記載のポリマー材料。
10.  前記ポリマーがエチレンとアクリル酸またはメタクリル酸とのコポリマーである、上記１に記載のポリマー材料。
11.  金属塩、カルボキシル含有ポリマー、およびそれらの組み合わせから選択される１つもしくはそれ以上の化合物をさらに含む、上記１に記載のポリマー材料。
12.  前記金属塩が水溶性亜鉛塩、水溶性銅塩、水溶性銀塩、およびそれらの混合物から選択される、上記１１に記載のポリマー材料。
13.  上記１に記載のポリマー材料を含む物品。
14.  フィルム、膜、ラミネート、編布、織布、不織布、繊維、フィラメント、糸、ペレット、コーティング、またはフォームの形態にある、上記１３に記載の物品。
15.  ブローされた、溶液キャストされた、積層された、射出成形された、押し出された、ブロー成形された、熱成形された、編まれた、織られた、または紡績された、上記１３に記載の物品。
16.  パッケージ、パッケージング部品、食品もしくは飲料分配システム、哺乳瓶、幼児向け絵本、プラスチックはさみ、おもちゃ、おむつペール、クレンジングワイプ用容器、哺乳瓶乳首、おしゃぶり、歯列矯正装置もしくはその部品、義歯材料、コップ、ドリンキンググラス、歯ブラシ、噛みおもちゃ、タンポン、タンポンアプリケーター、個人クレンジングワイプ、おしりふき、化粧用ワイプ、個人衛生衣類、食品取扱いおよび加工装置、アパレル品、家庭用品、包帯、接着テープ、ガーゼストリップ、ガーゼパッド、医療もしくは外科ドレープ、医療装置もしくはインプラント、分離膜、空気もしくは水フィルター、ボート部品、または流体輸送もしくは貯蔵装置である、上記１３に記載の物品。
17.  前記パッケージがボトル、ボックス、ジャー、缶、バッグ、閉端チューブ、化粧品パッケージ、または吸入器である、上記１６に記載の物品。
18.  前記パッケージが化粧品、個人衛生材料、ヘルスケア材料、またはそれらの組み合わせを収容する、上記１７に記載の物品。
19.  前記化粧品、前記個人衛生材料または前記ヘルスケア材料が口紅、リップクリーム、アイシャドウ、アイライナー、マスカラ、打粉、入浴剤、ほお紅、ファンデーション、シャンプー、コンディショナー、消臭剤、制汗剤、ローション、クリーム、粉おしろい、液体、溶液、懸濁液、カプセルまたは丸薬である、上記１８に記載の物品。
20.  前記パッケージング部品がライナー、蓋、接着テープ、交換式または使い捨て容器キャップ、フィルム、収縮ラップ、収縮バッグ、トレー、トレー／容器アセンブリ、パッケージング用吸収剤パッド、アプリケーター、ドリンクボトルネック、食品分配システム、または飲料分配システムの形態にある、上記１６に記載の物品。
21.  上記２０に記載の収縮ラップ、収縮バッグ、トレー、パッケージング用吸収剤パッド、およびそれらの組み合わせを含む精肉、鶏肉、または魚用パッケージング。
22.  前記アプリケーターがポンプ式計量分配装置またはその部品、マスカラ棒、薬用パッドもしくはワイプ、化粧品ブラシ、点滴器、チップ、口紅アプリケーター、アイライナーアプリケーター、またはアイシャドウアプリケーターである、上記１６に記載の物品。
23.  前記薬用パッドもしくはワイプが抗生物質、にきびを処置するための薬剤、痔疾を処置するための薬剤、かゆみ止め剤、抗炎症剤、または防腐剤を含む、上記２２に記載の物品。
24.  前記パッケージが食品または飲料を収容する、上記１６に記載の物品。
25.  前記個人衛生衣類がおむつ、失禁衣類、パンティーライナー、生理用ナプキン、またはタンポンである、上記１６に記載の物品。
26.  前記食品取扱いおよび加工装置がコンベアベルト・アセンブリおよびその部品；一時的および永久的食品調製表面；混合、細砕、圧潰、圧延、ペレット化、および押出のための装置およびその部品；熱交換器およびそれらの部品；ドレインおよびそれらの部品；バケツ、タンク、パイプ、およびチュービング；ならびに食品切断およびスライス化のための機械およびそれらの部品から選択される、上記１６に記載の物品。
27.  押出のための前記装置が混合および／または搬送用スクリューを含み、かつ、ポリマー・コーティングがアイオノマーを含む、上記２６に記載の物品。
28.  前記アパレル品が水着、スポーツウェア、アクティブウェア、保護スポーツパッド、下着、靴部品、子供服、または医療衣類の形態にある、上記１６に記載の物品。
29.  前記靴部品が織または不織ライナーまたはインサートである、上記２８に記載の物品。
30.  前記医療衣類がガウン、マスク、手袋、スリッパ、ブーティ、またはヘッドカバーである、上記２８に記載の物品。
31.  前記家庭用品がファイバーフィル、寝具類、ベッドリネン、窓処理材、カーペットおよびフローリング部品、室内装飾品部品、シーツ、自動車ワイプ、不織ドライヤーシーツ、洗濯用ソフトナー含有シーツ、家庭クリーニングワイプ、カウンターワイプ、タオル、洗面タオル、ダストクロス、モップ、テーブルクロス、シャワーカーテン、電話および携帯電話、ならびに壁、カウンター、および床面よりなる群から選択される、上記１６に記載の物品。
32.  前記医療装置またはインプラントが注射器ホルダー、カテーテル、縫合糸、ＩＶ（点滴）チュービング、ＩＶバッグ、ステント、ガイドワイヤ、人工器官、整形外科ピン、歯科材料、ペースメーカー、心臓弁、人工心臓、ひざおよびヒップ関節インプラント、骨セメント、代用血管、包帯、接着テープ、ガーゼストリップ、ガーゼパッド、泌尿器カテーテル小孔ポート、整形外科固定具、ペースメーカー導線、除細動器導線、外耳道短絡、美容インプラント、ＥＮＴ（耳鼻咽喉科）インプラント、ステープル、移植可能ポンプ、ヘルニアパッチ、プレート、スクリュー、血液バッグ、外部血液ポンプ、流体投与システム、心肺機、透析装置、人工皮膚、心室支援装置、補聴器、および歯科インプラントよりなる群から選択される、上記１６に記載の物品。
33.  前記分離膜が逆浸透、透析、パーベーパレーション、限外濾過、または精密濾過膜である、上記１６に記載の物品。
34.  前記ボート部品がボートハル、ボートハルの部品、ボートモーターおよびボートモーターの部品よりなる群から選択される、上記１６に記載の物品。
35.  前記流体輸送または貯蔵装置がパイプまたはタンクである、上記１６に記載の物品。
36.  ａ）その表面が、重合されたままでアミノ反応性官能基を含有するポリマーを含む物品を提供する工程と、
ｂ）物品を、キトサンを含む溶液と接触させる工程と、
ｃ）場合により、工程ｂ）の物品を、金属塩を含有する溶液と接触させる工程と、
ｄ）工程ｂ）またはｃ）で生み出された物品を乾燥する工程と
の逐次工程を含む、抗菌性物品の製造方法。
37.  工程ｂ）のキトサンを含む前記溶液がまた０．５容量％〜５容量％の酢酸水溶液も含む、上記３６に記載の方法。
38.  工程ｂ）のキトサンを含む前記溶液が０．５容量％〜１．０容量％の酢酸水溶液および０．１容量％〜３容量％のキトサンを含む、上記３６に記載の方法。
39.  工程ｄ）の前記金属塩が水溶性亜鉛塩、水溶性銅塩、水溶性銀塩、およびそれらの混合物よりなる群から選択される、上記３６に記載の方法。